(57)【特許請求の範囲】
【請求項１】
グレーチング（１）の縦枠部材（３）、（３）間に外枠（２）と平行に仕切部材（４）を設けて取付部空間（５）を形成し、該取付部空間（５）に通孔（６）を有する底板（７）を設置してグレーチング（１）の四隅に取付部（８）を構成し、前記通孔（６）にグレーチング受枠（Ｕ）の底面より突出した取付ボルト（Ｂ）を挿入するとともに該取付ボルト（Ｂ）にナット（Ｎ）をねじ込んでグレーチング（１）を受枠（Ｕ）に締結するグレーチングの取付構造において、前記底板（７）の上面より通孔（６）を挟んで外枠（２）の内側端面と仕切部材（４）の内側端面に亘る一対の受片（９）、（９）を突出し、該受片（９）、（９）の高さは、前記縦枠部材（３）、（３）より低くして該縦枠部材（３）、（３）上面と前記受片（９）、（９）上面に段差（ｈ）を設け、該段差（ｈ）と同寸の厚みを有するとともに、前記外枠（２）の内側端面と仕切部材（４）の内側端面間と、前記一対の受片（９）、（９）の外側端面間とで形成される平面形状と同形状のキャップ本体（１０ａ）と、該キャップ本体（１０ａ）の下面より突出した嵌合部（１０ｂ）とからなる弾性素材のキャップ（１０）を、前記受片（９）、（９）の内側端面間に前記嵌合部（１０ｂ）を嵌合するとともに、受片（９）、（９）上にキャップ本体（１０ａ）を載置して前記外枠（２）と仕切部材（４）間と、前記一対の受片（９）、（９）の内側端面間とで形成される平面空間を塞いだことを特徴とするグレーチングの取付構造。
【発明の詳細な説明】
【０００１】
【発明の属する技術の分野】
本発明は、グレーチングの取付構造に関する。
【０００２】
【従来の技術】
従来、グレーチングの取付構造としては、図４、図５に示すように、グレーチング１を構成する縦枠部材３、３間に、外枠２と平行に仕切部材４を設けて取付部空間５を形成し、この取付部空間５に通孔６を有する底板７を設けて、グレーチング１の四隅に取付部８を構成し、前記通孔６にグレーチングの受枠Ｕの底面より突出した取付ボルトＢを挿入してナットＮを取付けボルトＢにねじ込んで締結している。
【０００３】
また、前記取付部空間５をゴム素材の下駄状キャップＣで塞ぎ、塵埃、雨水の締結部への浸入を防止している。
【０００４】
しかし、従来のグレーチングの取付構造においては、取付部空間５をキャップＣで塞ぐ場合、縦枠部材３、３の上面にキャップ本体Ｃ１を載せ、キャップ本体Ｃ１の下面から下駄の歯状に突出する嵌合部Ｃ２を縦枠部材３、３間に嵌合している。したがって、キャップ本体Ｃ１はグレーチング（縦枠部材３）の上面より突出するので、人がその上を歩くときに躓きやすく安全上の問題がある。
【０００５】
【発明が解決しようとする課題】
本発明は、従来のグレーチングの取付構造の問題を解決するために、取付部空間を塞ぐキャップがグレーチングの上面より突出することなく通行上安全なグレーチングの取付構造を提供することを目的とする。
【０００６】
【課題を解決するための手段】
上記の目的を達成するために本発明のグレーチングの取付構造は、取付部の底板に通孔を挟んで外枠の内側端面と仕切部材の内側端面に亘る一対の受片を突出する。この受片の高さは、前記縦枠部材より低くして、縦枠部材の上面と受片の上面に段差を設ける。そしてキャップは、その本体の厚さを前記段差と同寸に設定する。その結果、キャップが取付部空間を塞いだときに、グレーチングの上面とキャップ本体の上面が同一面となる。
【０００７】
【発明の実施の形態】
次に本発明に係るグレーチングの取付構造を図面に基づいて説明する。図１は、本発明のグレーチングの取付構造を示すグレーチングの一隅部の平面図。図２は、図１のＡ―Ａ断面図である。１は、グレーチング。２は、グレーチングの外枠。３、３は、外枠２内に等間隔で配設する縦枠部材。４は、仕切部材。仕切部材４は、グレーチング１の隅部において、縦枠部材３、３間（本実施例では、縦枠部材３、３間を２間隔置いて）に外枠２と平行に設ける。５は、取付部空間で、前記縦枠部材３、３の内側端面間と、仕切部材４と外枠２との内側端面間で形成する。この取付部空間５に通孔６を有する底板７設置する。通孔６は、本実施例では、小判状の長孔とした。８は、取付部空間５と底板７で形成する取付部である。９、９は、一対の受片で、底板７の上面より通孔６を挟んで突出する。受片９の幅は、外枠２と仕切部材４の内側端面間の奥行きと同一をする。また、受片９の高さは、縦枠部材３より低くする。ｈは、段差で縦枠部材３の上面と受片９の上面とで形成される。
【０００８】
１０は、ゴム等の弾性材よりなるキャップで、キャップ本体１０ａと、キャップ本体１０ａの下面から下駄の歯状に突出する嵌合部１０ｂ、１０ｂにより構成する。キャップ本体１０ａは、外枠２と仕切部材４の内側端面間と、一対の受片９、９の外側端面間で形成される平面形状と同形状又はやや大きめの相似形とする。本実施例では、方形状を呈する。また、キャップ本体１０ａの厚さは、前記段差ｈと同じにする。嵌合部１０ｂ、１０ｂは、その外側端面間隔を受片９、９間の間隔と同一又はやや大きめに設定する。嵌合部１０ｂ、１０ｂの下面外端を面取りしてもよい。
【０００９】
図３は、本発明に係るグレーチングの取付構造の他の実施例を示す要部横断面図である。本実施例においては、底板２７の両端を直角に折り曲げて一対の受片２９、２９を設けたものである。底板２９は、その両側部をそれぞれ外枠２の内側下部端面と仕切部材の内側下部端面に溶接して取付部空間に設置する。前実施例に比べて受片２９を簡単に設けることができる製作上のメリットがある。
【００１０】
次に本発明によるグレーチングの取付構造の作用、効果について説明する。グレーチング１を受枠Ｕに取り付ける要領は、従来の方法と同様に受枠Ｕに締結する。その後、取付部空間である外枠２と仕切部材４の内側端面間と、受片９、９の内側端面間で形成される平面空間をキャップで塞ぐ際には、キャップ１０を、その嵌合部１０ｂを受片９、９の内側端面間に押し込んで嵌合するとともにキャップ本体下端面を受片９、９の上面に当接して前記平面空間を塞ぐ。この結果、キャップ本体１０ａの上面はグレーチング上面（縦枠部材上面）と同一なり段差を生じない。
【００１１】
【発明の効果】
以上に詳述したように、本発明のグレーチングの取付構造によれば、キャップの上面がグレーチングの上面と同一面となり、その上を安全に歩行できるという実用上優れた効果を発揮する。
【図面の簡単な説明】
【図１】本発明のグレーチングの取付構造を示すグレーチングの一隅部の平面図である。
【図２】図１のＡ−Ａ断面図である。
【図３】本発明に係るグレーチングの取付構造の他の実施例を示す要部横断面図である。
【図４】従来のグレーチングの取付構造を示すグレーチングの一隅部の平面図である。
【図５】図４のＢ−Ｂ断面図である。
【符号の説明】
１      グレーチング
２      外枠
３      枠部材
４      仕切部材
５      取付部空間
７      底板
８      取付部
９      受片
１０    キャップ
１０ａ  キャップ本体
１０ｂ  嵌合部
Ｂ      ボルト
Ｎ      ナット
Ｕ      受枠
【図１】
0003794900.tif 000002
【図２】
0003794900.tif 000003
【図３】
0003794900.tif 000004
【図４】
0003794900.tif 000005
【図５】
0003794900.tif 000006